(57)【特許請求の範囲】
【請求項１】
金属製毛細管からなる採血針と、前記採血針の末端に備えたヘマトクリット管嵌入用連結具であって前記採血針とヘマトクリット管とをそれらの端部で密着して連結させるヘマトクリット管嵌入用連結具とからなる採血具。
【請求項２】
金属製毛細管からなる採血針と、前記採血針の末端に備えたヘマトクリット管嵌入用連結具であって前記採血針とヘマトクリット管とをそれらの端部で密着して連結させるヘマトクリット管嵌入用連結具と、前記連結具に着脱自在に嵌合させたヘマトクリット管とからなる採血具。
【請求項３】
連結具の末端が延長され、その延長部がヘマトクリット管の外側を覆う保護管部を形成する請求項１又は２に記載の採血具。
【請求項４】
連結具が、管状物で形成されてなる請求項１乃至３の何れかに記載の採血具。
【請求項５】
採血針とヘマトクリット管とをリング状嵌合手段により着脱自在に連結してなる請求項１乃至３の何れかに記載の採血具。
【発明の詳細な説明】
【０００１】
【発明の属する技術分野】
本発明は、頻回採血、且つ短時間採血に適した採血具に関する。
【０００２】
【従来の技術】
血液検査においては、短い間隔での採血を必要とするもの、採血時間が短いことを必要とするものなどがある。
【０００３】
この頻回採血、且つ短時間採血の例としては、動物実験におけるマウス等の小動物からの採血などがある。
【０００４】
人体、又は動物からの採血方法としては、(１)カミソリ法、(２)注射針法、(３)注射筒法などがある。しかし、これらの従来の採血方法を頻回採血、且つ短時間採血に用いるに当たっては、それぞれ下記のような問題点がある。
【０００５】
（１）カミソリ法は、カミソリにより採血箇所（マウスの場合は尾静脈からの採血が好的）に傷をつけ、その傷口（切口）から出血してくる血液を採取する方法である。しかし、この方法による場合は、
１、切口が大きいため、過度に出血し、マウス等の被採血動物が貧血になる
２、血液ロスが多い
３、傷が深く、頻回採血が困難
４、採取量にムラがある
５、採血に時間がかかる（平均５分）
６、血液が傷口で空気に触れるため、採取した血液が、溶血、凝固し易い
７、両手で採血するため、トラブル時に対応できず、採血者、マウス等の被採血者共に負荷が大きい
などの問題点がある。
【０００６】
（２）注射針法は、採血針（注射針）を採血箇所に穿刺し、針基の凹部に滲出してくる血液を採取する方法である。しかし、この方法による場合は、
１、注射針に予め抗凝固剤の溶液を入れておく方法のため、血液検査のデータが希釈の影響を受ける
２、血液ロスが多い
３、針基の凹部に血液が滲出してくるのが遅く、採血に時間がかかる（平均５分）
４、針基の小さな凹部に溜った血液を採取するため、操作が困難
５、血液が小さな凹部にす接触するため、採取した血液が、溶血、凝固し易い
６、両手で採血するため、トラブル時に対応できず、採血者、マウス等の被採血者共に負荷が大きい
などの問題点がある。
【０００７】
（３）注射筒法は、採血針を採血箇所に穿刺し、注射筒内にピストン等で血液を吸引して採取する方法である。しかし、この方法による場合は、
１、吸引圧を強くすると、強度の溶血を生ずる
しかし、溶血を生じないように吸引圧を弱くすると、
２、注射筒内に血液が吸引されてくるのが遅く、採血に時間がかかる（平均８分）
３、検査に使用すべき血液試料が不足する
などの問題点がある。
【０００８】
【発明が解決しようとする課題】
本発明者等は、上記問題を解決すべく鋭意検討の結果、採血針と、遠沈法によるヘマトクリット値測定に用いられるヘマトクリット管とを接続して、毛細管現象により血液を吸い上げて採血することを問題解決の方針とした。
【０００９】
採血針とヘマトクリット管との接続方法において、先ず(１)ヘマトクリット管の先端に接着剤を塗布して採血針と接続する方法、(２)採血針とヘマトクリット管との接続部にパラフィルムを巻き付ける方法を試みた。
【００１０】
しかし、これら(１)及び(２)の接続方法においては、７０μｌ採血が不可能、作製中折れる、及び、採血中接続部が抜けるなどの不具合が生じた。
【００１１】
そこで、採血時の把手を兼用する採血針とヘマトクリット管との連結具を用いて採血具を作製したところ、上記不具合を解消できることを知得し、本発明を完成するに至った。
【００１２】
従って、本発明の目的とするところは、上述した問題点を解決した、頻回採血、且つ短時間採血に適した採血具を提供することにある。
【００１３】
【課題を解決するための手段】
上記の目的を達成する本発明は、以下に記載するものである。
【００１４】
〔１〕  採血針と、前記採血針の末端に備えたヘマトクリット管嵌入用連結具とからなる採血具。
【００１５】
〔２〕  採血針と、前記採血針の末端に備えたヘマトクリット管嵌入用連結具と、前記連結具に着脱自在に嵌合させたヘマトクリット管からなる採血具。
【００１６】
〔３〕  連結具の末端が延長され、その延長部がヘマトクリット管の外側を覆う保護管部を形成する〔１〕又は〔２〕に記載の採血具。
【００１７】
【発明の実施の形態】
以下、図面を参照して本発明を詳細に説明する。
【００１８】
図１は、本発明の採血具の一例を示す概略断面図である。
【００１９】
図１において、２は金属製毛細管からなる採血針であり、４は、前記採血針２を末端に備えたヘマトクリット管嵌入用連結具であり、ヘマトクリット管嵌入孔５を形成してある。６は、前記連結具４のヘマトクリット管嵌入孔５に着脱自在に嵌合させたヘマトクリット管である。前記採血針２とヘマトクリット管６とは端部で密着している。図１に示す採血具８は、これら採血針２、連結具４、及びヘマトクリット管６から構成される。
【００２０】
連結具４とヘマトクリット管６とを着脱自在に嵌合させる方法は、特に限定されるものではないが、図１に示すように、ｏ−リング１０を介して連結具４とヘマトクリット管６とを嵌合させる方法が例示できる。
【００２１】
連結具４は、７０μｌ採血が不可能、作製中折れる、及び、採血中抜けるなどの不具合が生じなければ、特に限定されるものではないが、注射筒の先端から５〜８ｍｍのところで切断した先端部をそのまま利用できる。
【００２２】
図２は、別の形態の連結具を用いた、本発明の採血具の他の例を示す概略断面図である。
【００２３】
図２において、採血具１２の連結具１４は、採血針１６の末端部の外径及びヘマトクリット管１８の先端部の外径に対して連結具１４の内径が着脱に適合している管状物である。
【００２４】
本発明の連結具の材質は、プラスチック、ガラス、セラミックス、及び金属などの可撓性材料が適用できるが、図２における連結具１４は、弾性があり、高強度のプラスチックのものが特に好ましい。
【００２５】
本発明の採血具を取扱中にヘマトクリット管が破損されにくくするには、連結具の末端が延長され、その延長部がヘマトクリット管の外側を覆う保護管部を形成することが好ましい。
【００２６】
図３は、連結具の末端部が保護管部を形成した本発明の採血具の一例を示す概略断面図である。
【００２７】
図３において、２２は、採血具２４の連結具である。この連結具２２の先端部２６は、採血針２８とヘマトクリット管３０との連結部であり、連結具２２の末端部３２は、ヘマトクリット管３０の外側を覆う保護管部である。
【００２８】
連結具２２の先端部２６において、３４は、連結具２２とヘマトクリット管３０とを着脱自在に嵌合させるためのリング状の嵌合手段である。
【００２９】
図４の別形態の採血具４２に示すように、連結具４４とヘマトクリット管４６とを着脱自在に嵌合させるためのリング状の嵌合手段４８としては、連結具４４自体を連結部５０のところで嵌合に適した内径に凹ませても良い。
【００３０】
図３と同様に、図４において、５２は採血針であり、５４は連結具４４の保護管部である。
【００３１】
本発明の採血具において、ヘマトクリット管の内容積は、被採血者がマウスの場合の採血量と同程度の７０〜７５μｌにすることが好ましい。
【００３２】
ヘマトクリット管の長さは、上記のヘマトクリット管の内容積、及びヘマトクリット管の内径に応じて決めれば良い。本発明の採血具において、ヘマトクリット管の外径は６０〜１００μｍで、内径は５０〜９０μｍなので、ヘマトクリット管の長さは５０〜１００ｍｍが好ましい。
【００３３】
本発明の採血具を用いてマウスから７０〜７５μｌの採血を行う場合、１〜２分と短時間で採血ができる。
【００３４】
採血時、血液検査時に凝固を極力防ぐ場合は、ヘパリン乾燥処理済みのヘマトクリット管を使用することが効果的である。
【００３５】
【実施例】
本発明を以下の実施例及び比較例により詳述する。
【００３６】
実施例１
図１に示す採血具を用い（新採血針法）、マウス６匹について１時間毎の頻回採血を３回行った。この採血した血液について、血糖（Ｇｌｕ）、乳酸デヒドロゲナーゼ（ＬＤＨ）、及びクレアチンホスホキナーゼ（ＣＰＫ）の検査を行い、その結果を図５（ａ）、（ｂ）、及び（ｃ）に示す。採血時間は、計１８回の平均で１．２分であった。
【００３７】
比較例１
採血方法において、上記の新採血針法の代わりにカミソリ法を用いた以外は、実施例と同様に採血、血液検査を行い、その結果を図５（ａ）、（ｂ）、及び（ｃ）に示す。採血時間は、計１８回の平均で２．５分であった。
【００３８】
比較例２
採血方法において、上記の新採血針法の代わりに注射針法を用いた以外は、実施例と同様に採血、血液検査を行い、その結果を図５（ａ）、（ｂ）、及び（ｃ）に示す。採血時間は、計１８回の平均で３．０分であった。
【００３９】
図５（ａ）の検査結果に示すように、カミソリ法、及び注射針法と比較して、本発明の採血具を用いた採血方法（新採血針法）による血液検査は、検査結果の変動が小さく採血方法として適していることが解る。
【００４０】
また、図５（ｂ）、及び（ｃ）の検査結果に示すように、本発明の採血具を用いた採血方法による場合は、測定値が他と比較して小さく、採血中に血液が変化していないことが解る。
【００４１】
また、本発明の採血具を用いれば、測定値の変動幅の絶対値も小さいのでデータは真の値を充分反映している。
【００４２】
更に、本発明の採血具を用いた採血方法は、採血時間も短時間であり、このことからも採血方法として適していることが解る。
【００４３】
【発明の効果】
本発明の採血具は、採血針と、前記採血針の末端に備えたヘマトクリット管嵌入用連結具と、前記連結具に着脱自在に嵌合させたヘマトクリット管からなるので、短時間で必要量の採血が可能であり、溶血、凝固が無く採血試料の状態も良好であり、片手での操作が可能のため操作が簡単であり、しかも頻回採血も可能である。また、採血した血液は空気に触れないのでデータが安定する。
【００４４】
本発明の採血具を取扱中にヘマトクリット管が破損されにくくする場合には、連結具の末端が延長され、その延長部がヘマトクリット管の外側を覆う保護管部を形成させた形態にすることもできる。
【図面の簡単な説明】
【図１】本発明の採血具の一例を示す概略断面図である。
【図２】図１の採血具とは別の形態の連結具を用いた、本発明の採血具の他の例を示す概略断面図である。
【図３】連結具の末端部が保護管部を形成した本発明の採血具の一例を示す概略断面図である。
【図４】図３の採血具とは別の形態の連結具を用いた、本発明の採血具の他の例を示す概略断面図である。
【図５】実施例１、並びに、比較例１及び２についての採血、血液検査の結果を示すグラフであり、（ａ）はＧｌｕ検査の結果、（ｂ）はＬＤＨ検査の結果、及び（ｃ）はＣＰＫ検査の結果を示す。
【符号の説明】
２    採血針
４    連結具
５    嵌入孔
６    ヘマトクリット管
８    採血具
１０    ｏ−リング
１２    採血具
１４    連結具
１６    採血針
１８    ヘマトクリット管
２２    連結具
２４    採血具
２６    連結部
２８    採血針
３０    ヘマトクリット管
３２    保護管部
３４    リング状の嵌合手段
４２    採血具
４４    連結具
４６    ヘマトクリット管
４８    リング状の嵌合手段
５０    連結部
５２    採血針
５４    保護管部
【図１】
0003683208.tif 000002
【図２】
0003683208.tif 000003
【図３】
0003683208.tif 000004
【図４】
0003683208.tif 000005
【図５】
0003683208.tif 000006